(57)【特許請求の範囲】
【請求項１】
遊技場の営業時間における遊技機の稼働データを遊技機が属する機種毎に時間経過に従って集計するデータ集計手段と、
遊技場の営業時間において指定された複数の時間帯であり、遊技客に対して所定の特典が付与された状態で遊技を行うことができるサービスタイムである時間帯をグループとして登録するグループ登録手段と、
このグループ登録手段によりグループとして登録された複数の時間帯に対応して前記データ集計手段が集計した各集計データに基づくグループ全体の稼働データと他の時間帯の稼働データとを区分するデータ区分手段と、
前記データ区分手段が集計した前記他の時間帯のデータに対する前記グループ全体の稼動データの増減、或いは変化割合を示すデータであるサービス効果データを含んだ機種毎のデータを、前記サービスタイム実施機種と、前記サービスタイム非実施機種とを特定可能に出力する出力手段とを備えたことを特徴とする遊技場用管理装置。
【請求項２】
前記出力手段は、稼働率を示す稼働データ、及び粗利を示す稼動データの双方についてのサービス効果データを各々出力することで、サービスタイムによる集客効果、及び利益の貢献を比較検討可能とすることを特徴とする請求項１記載の遊技場用管理装置。
【発明の詳細な説明】
【０００１】
【発明の属する技術分野】
本発明は、営業時間における複数の時間帯で他の時間帯と異なるサービスを実行する遊技場に好適する遊技場用管理装置に関する。
【０００２】
【発明が解決しようとする課題】
パチンコホールでは、集客力を高めるために無条件で特賞出玉の継続遊技を認めるサービスタイムなる時間帯を設けている所が多い。つまり、例えばセブン機で特賞が発生したときは、特賞で獲得したパチンコ玉による継続遊技を許可するというものである。このサービスタイム中は、遊技客にとっては有利になることから、当然、通常時の稼働率、売上、客帯率、割数（売上に対する景品交換金額の割合）等のデータが異なる。
【０００３】
しかしながら、従来の遊技データ管理装置では、サービスタイム時のデータを通常時と区分けして管理してはいなかった。このため、パチンコホール側はサービスタイム中の各遊技機の稼働データを知ることはできず、サービスタイムの効果を判断することはできなかった。
【０００４】
この場合、所定の時間帯のみを他の時間帯と区分してデータ管理することが考えられるものの、サービスタイムは１日の複数の時間帯に分けて実施するのが一般的であることから、単に所定時間帯における遊技機の稼働データを他の時間帯の稼働データと区分けしてデータ管理するにしても、サービスタイムの効果を正しく判断することはできない。
【０００５】
本発明は上記事情に鑑みてなされたもので、その目的は、遊技場の営業時間において複数のサービスタイムにおける遊技機の稼働データと他の時間帯における遊技機の稼働データとを比較検討することが可能となる遊技場用管理装置を提供することにある。
【０００６】
【課題を解決するための手段】
本発明は、遊技場の営業時間における遊技機の稼働データを遊技機が属する機種毎に時間経過に従って集計するデータ集計手段を設け、遊技場の営業時間において指定された複数の時間帯であり、遊技客に対して所定の特典が付与された状態で遊技を行うことができるサービスタイムである時間帯をグループとして登録するグループ登録手段を設け、このグループ登録手段によりグループとして登録された複数の時間帯に対応して前記データ集計手段が集計した各集計データに基づくグループ全体の稼働データと他の時間帯の稼働データとを区分するデータ区分手段を設け、前記データ区分手段が集計した前記他の時間帯のデータに対する前記グループ全体の稼動データの増減、或いは変化割合を示すデータであるサービス効果データを含んだ機種毎のデータを、前記サービスタイム実施機種と、前記サービスタイム非実施機種とを特定可能に出力する出力手段を設けたものである（請求項１）。
【０００７】
このような構成によれば、複数の時間帯を他の時間帯と区分けした状態で稼働データの管理を望む場合は、グループ登録手段により複数の時間帯をグループとして登録する。
【０００８】
さて、遊技場の営業が開始すると、データ集計手段は、遊技場の営業時間における遊技機の稼働データを時間経過に従って集計する。
そして、遊技場の営業を終了したときは、データ区分手段は、グループ登録手段によりグループとして登録された複数の時間帯に対応して前記データ集計手段が集計した各集計データに基づいてグループ全体の稼働データと他の時間帯の稼働データとを区分けする。これにより、データ区分手段が集計した複数の時間帯における稼働データと他の時間帯における稼働データとを比較検討することが可能となる。
【０００９】
上記構成において、前記出力手段は、稼働率を示す稼働データ、及び粗利を示す稼動データの双方についてのサービス効果データを各々出力することで、サービスタイムによる集客効果、及び利益の貢献を比較検討可能とするようにしてもよい（請求項２）。
【００１２】
【発明の実施の形態】
以下、本発明の一実施例を図面を参照して説明する。
図１は全体の構成を概略的に示している。この図１において、パチンコホールには複数のパチンコ遊技機１が設置されている。また、各パチンコ遊技機１に対応して台間玉貸機２及び呼出ランプユニット３が設けられている。
【００１３】
パチンコ遊技機１は、スタート入賞口にパチンコ玉が入賞したときはスタート信号を出力し、特賞が発生したときは特賞信号を呼出ランプユニット３に出力する。
【００１４】
パチンコ遊技機１の裏側には図示しないセーフ玉計数器及びアウト玉計数器が設けられている。セーフ玉計数器は、パチンコ遊技機１のセーフ玉貯留タンクにセーフ玉が供給される毎にセーフ玉信号を呼出ランプユニット３に出力する。また、アウト玉計数器は、パチンコ遊技機１からアウト玉が排出される毎にアウト玉信号を呼出ランプユニット３に出力する。
台間玉貸機２は、売上がある毎に売上金額を示す売上情報を呼出ランプユニット３に出力する。
【００１５】
一方、呼出ランプユニット３は、図示しない呼出スイッチ、呼出ボタン、特賞表示ランプ及び制御装置を備えて構成されており、呼出スイッチに対する操作に応じて呼出ランプを点灯・消灯するようになっている。
【００１６】
また、呼出ランプユニットはホール管理コンピュータ４（データ集計手段に相当）と接続されており、パチンコ遊技機１からの各種稼働情報及び台間玉貸機２からの売上情報をホール管理コンピュータ４に出力すると共に、ホール管理コンピュータ４からの指令に応じてパチンコ遊技機１に対する打止を実行するようになっている。
【００１７】
ホール管理コンピュータ４は、操作用キーボード５、データ出力用プリンタ６、全てのパチンコ遊技機の台番号と当該パチンコ遊技機の稼働状態（打止めとなる寸前の打止予告状態、打止状態）を示すＬＥＤ群を備えた表示パネル７及びモニタ８から構成されている。
【００１８】
このホール管理コンピュータ４は、パチンコ遊技機１及び台間玉貸機２から呼出ランプユニット３を介して与えられる各種の情報信号に基づいてパチンコ遊技機１のアウト玉数、セーフ玉数、それらの差玉数（パチンコ遊技機１の収支に相当）、特賞発生回数、打止発生回数等の管理用データを算出する構成となっている。
尚、パチンコホールには図示しないパチスロ機も設置されており、上記ホール管理コンピュータ４は、パチスロ機の稼働も管理するようになっている。
【００１９】
また、パソコン９（グループ登録手段、データ区分手段、出力手段に相当）は、ホール管理コンピュータ４が管理する稼働データを入力すると共に、入力した稼働データに基づいて所定の帳票を作成して表示するようになっている。
【００２０】
ところで、このパチンコホールでは、営業時間における１０時〜１２時、１５時〜１７時、２０時３０分〜閉店時間までの３回にわたってサービスタイムを実施するようになっている。このサービスタイムとは、例えばセブン機で特賞が発生したときは特賞の当り数字にかかわらず無条件で遊技客が獲得したパチンコ玉による継続遊技を許可するというものである。従って、遊技客にとっては特賞の当り数字がラッキー数字とならなくとも特賞で獲得したパチンコ玉で遊技を継続することができるので、サービスタイム中は遊技客にとっては有利な時間帯となる。
【００２１】
次に上記構成の作用について説明する。
ホール管理コンピュータ４は、パチンコホールの営業時間中においては時間経過に従ってパチンコ遊技機１から排出されるアウト玉数及びセーフ玉数、特賞期間に基づいて各パチンコ遊技機１の稼働状態を管理している。
【００２２】
さて、パチンコホールの営業が終了したときは、パソコン９からホール管理コンピュータ４にアクセスすることにより当該ホール管理コンピュータ４が保有する集計データをパソコン９に取込む。
【００２３】
そして、担当係員は、パソコン９に対する操作により次のように所望の帳票を表示することができる。
即ち、サービスタイムに関する帳票を表示したいときはパソコン９に対してサービスタイムデータメニュー画面の表示を指示する。この場合、サービスタイムの実施時間帯をパソコン９に予め設定しておく。
【００２４】
図２はパソコンの表示部９ａに表示されたサービスタイムデータメニュー画面を示している。この図２において、パソコン９は、「サービスタイムデータ」という標題を表示すると共に、「機種比較データ」、「全店データ」、「機種毎データ」、「自由分析」という操作案内を表示する。
【００２５】
ここで、担当係員は、全機種間によるサービスタイムの効果の表示を希望するときは、「機種比較データ」表示部をクリックにより選択する。
パソコン９は、「機種比較データ」表示部が選択されたときは、図３に示すように表示部に機種比較データにおける稼働データ帳票を作成して表示する。つまり、表示部９ａには「機種比較データ」という標題が表示されると共に、データ表示対象の月日、データの種別が表示される。この場合、月日表示部に付随して月日変更スクロールボタンが表示され、データ種別表示部に付随してデータ種別変更スクロールボタンが表示される。
【００２６】
そして、機種名毎の通常時データにおけるアウト／ｈデータ、稼働率、サービスタイムにおけるアウト／ｈデータ、稼働率、増減データ、合計データにおけるアウト／ｈデータ、稼働率が表示される。このアウト／ｈとは１時間当りにおけるアウト玉数であり、稼働率とはアウト／ｈ玉数に対する１時間連続稼働したときに発生すると予測されるアウト玉数（パチンコ遊技機では１分間に１００個発射することが可能であることから、１時間では６０００個となる）である。
【００２７】
尚、Ｐ1 〜Ｐ8 はパチンコ遊技機を示し、Ｇ1 ，Ｇ2 はパチスロ機を示している。
また、四角枠で囲まれたデータがサービスタイム実施機種であり、表示部９ａには実際には反転表示される（以下に示す他の図でも同じ）。
【００２８】
この図３に示す例では、「ホースケ君ＤＸ」の通常時の稼働率は５７．７％であるのに対して、サービスタイム時データの稼働率は８２．３％となっており、サービスタイムによる客寄せ効果が最も高いことが分る。
【００２９】
ところで、サービスタイムが開始すると、サービスタイム非実施機種によっては、遊技客がサービスタイム実施機種に移動して遊技することにより稼働率が低下してしまう虞がある。
【００３０】
例えば「ヘブンブリッジ」という機種に着目すると、通常時の稼働率が６６．４％であるのに対して、サービスタイム時の稼働率が５７．８％と大幅に低下（１時間当りのアウト玉数が５１７個減少）しており、多くの遊技客がサービスタイム実施機種に移動していることが判明した。
【００３１】
この場合、サービスタイムを実施する目的としては、サービスタイム非実施機種の稼働率を低下させることなくパチンコホール全体のパチンコ遊技機の稼働率を高めることであるから、パチンコホール全体のパチンコ遊技機１の稼働率が通常時とサービスタイム時とで変わらなかった場合はサービスタイムの効果が十分に発揮されておらず、サービスタイムが機能していないことを意味している。
【００３２】
図３に示す例では、パチンコ遊技機１全体の通常時の平均稼働率は５４．４％であるのに対してサービスタイム時データは５９．６％であり、パチンコホール全体ではサービスタイムの稼働率が高くなっており、サービスタイムによる客寄せの効果が発揮されていることが分る。また、パチスロ機の通常時の平均稼働率は７６．８％であるのに対して、サービスタイム時データは７６．９％となっており、パチスロ機ではサービスタイムによる客移動はなかったことが分る。
【００３３】
尚、月日変更スクロールボタン表示部をクリックにより選択することにより、所望の月日における単日データを確認することができる。この月日変更スクロールボタン表示部に対する操作は以降のデータ表示でも同様に機能する。
【００３４】
続いて、担当係員は、機種比較データにおける特賞データを分析したいときは、データ種別変更スクロールボタン表示部をクリックにより選択する。
パソコン９は、稼働データの表示状態でデータ種別変更スクロールボタンが操作されたときは、図４に示すように機種比較データにおける特賞データ帳票を作成して表示する。
【００３５】
この図４において、「特賞」とは特賞が発生した回数であり、「Ｌ発生」とはラッキー状態で特賞が発生したラッキー回数であり、「Ｌ率」とはサービスタイム時ラッキー回数／総ラッキー回数である。但し、サービス時におけるラッキー状態は手持ち玉数がなくなったときは無効化されると共に、ラッキー状態で特賞が発生したときは特賞としてカウントされる。
【００３６】
図４に示す例では、「ＣＲ将軍ちゃま」のＬ発生率が６７．２％と高く、遊技客にとってサービスタイムが最も有効（サービスタイムの恩恵を最も受けた）であることが分る。
【００３７】
続いて、担当係員は、機種比較データにおける売上データを分析したいときは、データ種別変更スクロールボタン表示部をクリックにより選択する。
パソコン９は、特賞データ帳票の表示状態でデータ種別変更スクロールボタン表示部が選択されたときは、図５に示すように機種比較データにおける売上データ帳票を作成して表示する。この売上データ帳票は、売上と粗利の変動を示すものである。
【００３８】
この図５において売上／ｈとは１時間当りのパチンコ遊技機の売上（×１００）であり、粗利／ｈとは１時間当りのパチンコ遊技機１の粗利（売上金額−景品交換金額）である。
【００３９】
図５に示す例では、「ＣＲ将軍ちゃま」では通常時に粗利がプラスであったものがサービスタイム時にマイナスになっており、パチンコホールは赤字覚悟でサービスタイムを設定したことが分る。これに対して、「ホースケ君ＤＸ」では通常時に粗利がプラスで、さらにサービスタイム時でもプラスになっており、サービスタイムにかかわらずパチンコホールの利益に貢献していることが分る。
【００４０】
続いて、担当係員は、サービスタイム効果を分析したいときは、データ種別変更スクロールボタン表示部をクリックにより選択する。
パソコン９は、売上データの表示状態でデータ種別変更スクロールボタンがクリックにより選択されたときは、図６に示すように機種比較データにおけるサービスタイム効果データ帳票を作成して表示する。このサービスタイム効果データ帳票は、各サービスタイム毎（１日に複数回サービスタイムを実施している場合：本実施例では３回）の比較、及び全体のサービスタイムの効果判定を示すものである。
【００４１】
図６おいて、サービス効果の「稼」はサービスタイムによる稼働率の変動を５段階評価したもので、以下の表１に示すようにサービスタイム時稼働率／通常時稼働率によって算出している。つまり、サービスタイムによる客寄せ効果が最も高いパチンコ遊技機１がＡランクに設定されている。また、サービス効果の「粗」は、下表に示すようにサービスタイムによる粗利の変動を５段階評価したもので、サービスタイム時粗利−通常時粗利によって算出している。つまり、サービスタイムの実施によりパチンコホールの利益に貢献しているパチンコ遊技機１がＡランクに設定されている。
【００４２】
【表１】
0004249280.tif 000002
【００４３】
従って、サービスタイムの実施により、最も客寄せを図りながらパチンコホールの利益に最も貢献しているパチンコ遊技機１のサービス効果がＡＡランクとなる。
【００４４】
また、サービスタイム毎の稼働率と粗利を確認することができるので、サービスタイムによる集客力を比較検討することができると共に、サービスタイムによる利益の貢献を比較検討することができる。
【００４５】
図６に示す例では、「ホースケ君ＤＸ」のサービス効果がＡＡランクであり、パチンコホールにとってのサービス効果に最も貢献していることが分る。また、「ＣＲモンスターハウス」、「レモン牌」は客寄せ効果は高いものの、パチンコホールの利益に反映されていないことが分る。
【００４６】
続いて、担当係員は、店全体のサービスタイムの効果を分析したいときは、図２に示すサービスタイムデータメニュー画面において「全店データ」表示部をクリックにより選択する。
【００４７】
パソコン９は、図２に示すサービスタイムメニュー画面の表示状態で「全店データ」表示部がクリックにより選択されたときは、図７に示すように全店データにおける単日データ帳票を作成して表示する。
【００４８】
この図７において、割数とは売上玉数（売上金額）に対する景品交換玉数（景品交換金額）の割合で、パチンコホールがどれくらい儲かったのかを示す指標であり、（（セーフ玉数＋売上玉数−アウト玉数）／売上玉数）×１０で求めることができる。また、通常時の時間（１０．５）とは通常時の営業時間、サービス時の時間（４．５）とはサービス時の営業時間のことで、稼働率を算出する際に必要となる。
【００４９】
続いて、担当係員は、指定期間の営業結果を分析したいときは、データ種別変更スクロールボタン表示部をクリックにより選択する。
パソコン９は、全店データにおける単日データの表示状態でデータ種別変更スクロールボタン表示部が選択されたときは、図８に示すように月日表示部にデータ表示対象期間の開始月日及終了月日を表示すると共に、データ種別表示部に「期間データ」を表示する。
そして、通常時、サービス時、合計におけるアウト玉数、稼働率、差玉数、特賞回数、ラッキー発生回数、売上金額、割数、時間を表示する。
【００５０】
図８に示す例では、平日よりも、休日（８月１０〜１２日はお盆休みとみなす）の方が、サービスタイムによる割数（売上に対する景品交換金額）の増分が少なく、営業方法としては有効であったと判断することができる。
【００５１】
続いて、担当係員は、１機種毎のサービスタイムの効果を分析したいときは、図２に示すサービスタイムデータメニュー画面における「機種毎データ」表示部をクリックにより選択する。
【００５２】
パソコン９は、「機種毎データ」表示部が選択されたときは、図９に示す全店データにおける機種毎データ帳票を作成して表示する。この図９において、月日表示部にはデータ対象期間が表示され、機種名表示部にはデータ対象機種が表示され、データ種別表示部には表示データの種別が表示される。この場合、機種名表示部に付随されたスクロールボタン表示部をクリックにより選択することにより表示対象とする機種名を変更することができると共に、データ種別変更スクロールボタン表示部をクリックにより選択することにより表示するデータの種別を変更することができる。
図９に示す例では、８月１４日から８月１６日までの各日の推移を確認することができる。
【００５３】
続いて、担当係員は、項目を自由に選択可能なオリジナル帳票を作成したい場合は、図２に示すサービスタイムデータメニュー画面において「自由分析」表示部をクリックにより選択する。
【００５４】
パソコン９は、「自由分析」表示部が選択されたときは、図１０に示す自由分析メニュー画面を表示する。この場合、担当係員は、データの蓄積期間内から表示期間を指定し、帳票のフォーマットを選択する。フォーマットは、「機種別」、「全店」、「サービスタイム別」から選択する。
【００５５】
そして、選択項目の中から、表示したい項目をクリックにより選択してから、「決定」表示部をタッチ操作することにより所望の項目の帳票を作成して表示することができる。
【００５６】
上記構成によれば、パソコン９に対する操作により営業時間におけるサービスタイム期間とその他の通常期間とにおけるパチンコ遊技機１（パチスロ機を含む）の稼働データを区分けして帳票として作成して表示することができるので、営業時間中の稼働データを管理するだけの従来構成に比較して、サービスタイムによる効果を分析することができる。
【００５７】
この場合、営業時間において複数回実行されるサービスタイムにおける稼働でデータを集計して他の通常の稼働データと区分けして管理するようにしたので、所定時間における稼働データだけを区分けして管理する構成のものと比較して、営業時間におけるサービスタイムの効果を確実に分析することができる。
【００５８】
また、稼働データを各種タイプの帳票で作成して表示するようにしたので、サービスタイムによる客寄せ効果、遊技客のパチンコホール内での移動状況、パチンコホール側の利益変動、機種毎におけるサービスタイムの影響度、サービスタイムの有効時間帯、サービスタイムの有効な曜日などを得ることができ、パチンコホールの営業に有効に活用することができる。
【００５９】
本発明は、上記実施例にのみ限定されるものではなく、次のように変形または拡張できる。
サービスタイムとしては、特賞に獲得したパチンコ玉が持たせが許可されるだけではなく、打止を禁止したり、他機種への持玉を許可するようにしてもよい。
【００６０】
【発明の効果】
以上の説明から明らかなように、本発明の遊技場用管理装置によれば、遊技場の営業時間における複数の時間帯の遊技機の稼働データをグループとして管理し、他の時間帯の稼働データと区分けして管理するようにしたので、複数の所定時間帯における遊技機の稼働データと他の時間帯における遊技機の稼働データとを比較検討することが可能となるという優れた効果を奏する。
【図面の簡単な説明】
【図１】本発明の一実施例における全体構成を示す概略図
【図２】パソコン画面におけるサービスタイムメニュー画面を示す図
【図３】機種比較データにおける稼働データ帳票を示す図
【図４】機種比較データにおける特賞データ帳票を示す図
【図５】機種比較データにおける売上データ帳票を示す図
【図６】機種比較データにおけるサービスタイム効果帳票を示す図
【図７】全店データにおける単日データ帳票を示す図
【図８】全店データにおける期間データ帳票を示す図
【図９】機種毎データ帳票を示す図
【図１０】自由分析メニュー画面を示す図
【符号の説明】
１パチンコ遊技機、２は台間玉貸機、３は呼出ランプユニット、４はホール管理コンピュータ（データ集計手段）、９はパソコン（グループ登録手段、データ区分手段、出力手段）である。
【図１】
0004249280.tif 000003
【図２】
0004249280.tif 000004
【図３】
0004249280.tif 000005
【図４】
0004249280.tif 000006
【図５】
0004249280.tif 000007
【図６】
0004249280.tif 000008
【図７】
0004249280.tif 000009
【図８】
0004249280.tif 000010
【図９】
0004249280.tif 000011
【図１０】
0004249280.tif 000012